(57)【特許請求の範囲】
【請求項１】
容器（１）及び合成樹脂製のキャップ（２）から成り、前記容器（１）は、その口部（３）の上端部（４）外周に係合突条（５）が形成されてあり、前記キャップ（２）は、頂壁（６）、前記係合突条（５）に圧接するスカート（７）、及び前記口部（３）の内面に圧接する内環（８）を有し、前記スカート（７）の内周下方（９）に前記係合突条（５）に係止する係止突条（１０）を設け、かつ外周下端部（１１）の一部に鍔部（１２）が形成されてあり、前記係止突条（１０）の該鍔部（１２）に対応する部分に、弱嵌合部を設けた容器とそのキャップであって、
前記スカート（７）は、鍔部（１２）の設けられているキャップの前半周（７ａ）において鍔部（１２）の両側にそれぞれ該スカート（７）の下端部から上方に伸びる一つ又は複数の縦スリット（１４）が形成されており、
前記縦スリット（１４）は、下部を係止突条（１０）で接続されていることを特徴とする容器とそのキャップ。
【請求項２】
前記縦スリット（１４）は、一部又は全部を薄肉部（１５）で接続されていることを特徴とする請求項１記載の容器とそのキャップ。
【請求項３】
容器（１）及び合成樹脂製のキャップ（２）から成り、前記容器（１）は、その口部（３）の上端部（４）外周に係合突条（５）が形成されてあり、前記キャップ（２）は、頂壁（６）、前記係合突条（５）に圧接するスカート（７）、及び前記口部（３）の内面に圧接する内環（８）を有し、前記スカート（７）の内周下方（９）に前記係合突条（５）に係止する係止突条（１０）を設け、かつ外周下端部（１１）の一部に鍔部（１２）が形成されてあり、前記係止突条（１０）の該鍔部（１２）に対応する部分に、弱嵌合部を設けた容器とそのキャップであって、
該鍔部（１２）に半径方向の弱化部が形成されており、
前記半径方向の弱化部は、鍔部の中央部に形成された薄肉部（１８ａ）であることを特徴とする容器とそのキャップ。
【請求項４】
容器（１）及び合成樹脂製のキャップ（２）から成り、前記容器（１）は、その口部（３）の上端部（４）外周に係合突条（５）が形成されてあり、前記キャップ（２）は、頂壁（６）、前記係合突条（５）に圧接するスカート（７）、及び前記口部（３）の内面に圧接する内環（８）を有し、前記スカート（７）の内周下方（９）に前記係合突条（５）に係止する係止突条（１０）を設け、かつ外周下端部（１１）の一部に鍔部（１２）が形成されてあり、前記係止突条（１０）の該鍔部（１２）に対応する部分に、弱嵌合部を設けた容器とそのキャップであって、
前記鍔部（１２）は、上面とスカート７間にそれぞれリブ（２０）が設けられており、
前記スカート７は、鍔部（１２）の中央部（１６）に対応する部分の内面に縦方向の弱化ライン（１７）が形成されており、
前記リブ（２０）の上端部（２６）は、上下方向において弱化ライン（１７）の上端部（２１）近傍に対応して位置させられていることを特徴とする容器とそのキャップ。
【請求項５】
容器（１）及び合成樹脂製のキャップ（２）から成り、前記容器（１）は、その口部（３）の上端部（４）外周に係合突条（５）が形成されてあり、前記キャップ（２）は、頂壁（６）、前記係合突条（５）に圧接するスカート（７）、及び前記口部（３）の内面に圧接する内環（８）を有し、前記スカート（７）の内周下方（９）に前記係合突条（５）に係止する係止突条（１０）を設け、かつ外周下端部（１１）の一部に鍔部（１２）が形成されてあり、前記係止突条（１０）の該鍔部（１２）に対応する部分に、弱嵌合部を設けた容器とそのキャップであって、
前記スカート（７）は、頂壁（６）よりも薄い薄肉部（２２）として形成され、かつ、該薄肉部（２２）は鍔部（１２）よりも薄肉に形成されており、
前記スカート（７）は、その上部（２３）を、下部の薄肉部（２２）よりも更に薄い微肉部（２４）として形成されていることを特徴とする容器とそのキャップ。
【請求項６】
前記頂壁（６）とスカート（７）の連続する部分（２７）は、肉厚の変化がなだらかに形成されていることを特徴とする請求項５記載の容器とそのキャップ。
【請求項７】
前記微肉部（２４）は、該微肉部（２４）より厚肉に形成された内環（８）に対応する位置に形成されていることを特徴とする請求項５記載の容器とそのキャップ。
【請求項８】
前記弱嵌合部は、円環状の係止突条の一部を欠如せしめた突条欠如部（１３）であることを特徴とする請求項１、２、３、４、５、６、又は、７記載の容器とそのキャップ。
【請求項９】
前記弱嵌合部は、円環状の係止突条の一部を弱化せしめた突条弱化部であることを特徴とする請求項１、２、３、４、５、６、又は、７記載の容器とそのキャップ。
【請求項１０】
前記係止突条（１０）は、円周方向に間隔をおいて配設された複数の係止突条片からなることを特徴とする請求項１、２、３、４、５、６、又は、７記載の容器とそのキャップ。
【請求項１１】
前記鍔部（１２）は、下面の先端部に沿って小突条（１９）が形成されていることを特徴とする請求項１、２、３、４、５、６、７、８，９，又は、１０記載の容器とそのキャップ。
【請求項１２】
前記容器（１）の口部（３）内側は、該口部（３）内周に圧接する内環（８）を収容する段差部（２８）を有している請求項１、２、３、４、５、６、７、８、９、１０、又は、１１記載の容器とそのキャップ。
【発明の詳細な説明】
【０００１】
【発明の属する技術分野】
この発明は瓶等の容器とそれに装着して用いるキャップに関するものである。
【０００２】
【従来の技術】
従来容器とそのキャップとして一般に用いられている牛乳瓶等においては、図示は省略するがよく知られているように瓶口に紙製のキャップが装着されてあり、消費者等は牛乳業者から提供された小型の錐で開けるのであるが、その錐は家庭等においては置かれることが少なく、又前記紙製のキャップは瓶口に形成された凹部に固く装着されているため、開放はやや面倒である。
このためそれを一層開け易くすることが求められる。又前記の紙製のキャップは一般に密閉性が弱く、このため一層密閉性を高めることが望まれている。
【０００３】
【発明が解決しようとする課題】
この発明は前記のような問題を解決するためになされたもので、その目的は前記従来の紙製のキャップよりも密閉性に優れていてしかも容易に開放することができる容器とそのキャップを提供することである。
なお、従来の技術の問題点として牛乳瓶とそのキャップを挙げたがこれは一例であり、良好な密閉性と容易な開放性はすべての容器とそのキャップに共通する問題であり、この発明はそれを解決するものである。
【０００４】
【課題を解決するための手段】
この発明は、容器１及び合成樹脂製のキャップ２から成り、前記容器１は、その口部３の上端部４外周に係合突条５が形成されてあり、前記キャップ２は、頂壁６、前記係合突条５に圧接するスカート７、及び前記口部３の内面に圧接する内環８を有し、前記スカート７の内周下方９に前記係合突条５に係止する係止突条１０を設け、かつ外周下端部１１の一部に鍔部１２が形成されてあり、前記係止突条１０の該鍔部１２に対応する部分に、弱嵌合部を設けたことを特徴とする。
【０００５】
弱嵌合部は、例えば、円環状の係止突条の一部を欠如せしめた突条欠如部１３であり、又は、円環状の係止突条の一部を弱化せしめた突条弱化部である。
係止突条１０は、円環状に連続して形成したり、又は、間欠的に、即ち、円周方向に間隔をおいて複数の係止突条片を配設することにより形成することができる。
【０００６】
スカート７は、例えば、鍔部１２の設けられているキャップの前半周７ａにおいて鍔部１２の両側にそれぞれ該スカート７の下端部から上方に伸びる一つ又は複数の縦スリット１４が形成されている。
この縦スリット１４は、下部を係止突条１０で接続されていたり、又は、一部又は全部を薄肉部１５で接続されている。
【０００７】
該鍔部１２に半径方向の弱化部が形成されている。この半径方向の弱化部は、例えば、鍔部１２の中央部に形成されたスリット１８、又は、鍔部１２の中央部に形成された薄肉部１８ａである。
【０００８】
鍔部１２は、下面の先端部に沿って小突条１９が形成されている。この鍔部１２は、上面とスカート７間にそれぞれリブ２０が設けられている。前記リブ２０の上端部２６は、上下方向において弱化ライン１７の上端部２１近傍に対応して位置させられている。
【０００９】
スカート７は、鍔部１２の中央部１６に対応する部分の内面に縦方向の弱化ライン１７が形成されている。、又、スカート７は、頂壁６よりも薄い薄肉部２２として形成され、かつ、該薄肉部２２は鍔部１２よりも薄肉に形成されている。このスカート７は、その上部２３を、下部の薄肉部２２よりも更に薄い微肉部２４として形成されている。
【００１０】
頂壁６とスカート７の連続する部分２７は、肉厚の変化がなだらかに形成されている。微肉部２４は、該微肉部２４より厚肉に形成された内環８に対応する位置に形成されている。
【００１１】
容器１の口部３内側は、該口部３内周に圧接する内環８を収容する段差部２８を有している。
【００１２】
【発明の実施の形態】
この発明の実施例を添付図面により説明する。
図において、１は容器であり、一例としてガラス製の牛乳瓶が示されている。そしてその口部３の上端部４外周に係合突条５が形成されている。２８は口部３内周に形成された段差部である。
なお、容器１はこのように一例として牛乳瓶が示されたが、これに限るものではなく他のガラス瓶等の容器又は合成樹脂製の瓶等の容器であっても差支えはない。
【００１３】
２は合成樹脂、一例としてポリエチレン製のキャップであり、頂壁６及び前記係合突条５に圧接するスカート７から成り、頂壁６下面に瓶口３内面に圧接する内環８が設けられている。
【００１４】
そしてスカート７の内周下方９に、前記係合突条５に係止する係止突条１０が設けられている。この係止突条１０は、図４に示すように、円環状の係止突条１０の鍔部１２近傍を除去してその両端部１０ａ、１０ｂを形成し、該両端部１０ａ，１０ｂが鍔部１２の付根部１２ａの内側まで入り込む形状にしたり、又は、図１５に示すように、円環状の係止突条１０の両端部１０ａ，１０ｂを鍔部１２の付根部１２ａより離間した位置にし、該鍔部１２の付根部１２ａに円周方向に間隔をおいて複数の係止突条部１０Ｐを配置するようにしてもよい。
【００１５】
この係止突条１０は、連続する円環の一部を欠如した状態に形成されているが、図９に示すように、間欠的に、即ち、複数の係止突条片１０Ｍを周方向に間隔をおいて配設した状態に形成しても差し支えない。
【００１６】
１２はスカート７の外周下端部１１の一部に設けられた鍔部であり、該鍔部１２に対応するスカート７の内周には弱嵌合部が形成されている。
この弱嵌合部は、図４に示すように、円環状の係止突条１０の一部を欠如する突条欠如部１３である。
【００１７】
そして、この発明の更に他の実施例の図９、図１２に示すように、鍔部１２の両側のスカート７には縦スリット１４が設けられている。又この縦スリット１４の下部は図１１に示すように係止突条１０で接続してもよい。
又図１０に示すように縦スリット１４の一部は薄肉部１５で接続してもよく、図示は省略するが薄肉部１５は縦スリット１４の全部に及んで形成してもよい。
【００１８】
又鍔部１２の中央部１６に対応する部分の内面に縦方向の弱化ライン１７が形成されている。この弱化ライン１７は溝状に形成されているため、キャップ装着の際に空気を逃すエアーベントも兼ねさせることができる。
この弱化ライン１７は、後記半径方向スリット１８と協同して、図１２〜図１４に示すように鍔部１２を上方に押し上げる際に、この部分からスカート７がほぼヘの字状になり、鍔部１２の両側の係止突条１０が係合突条５から外れるのを容易にする。
【００１９】
又、図１、図４から理解されるように鍔部１２は下面の先端部に沿って小突条１９が形成されてあり、鍔部１２を押し上げる際に指先が鍔部１２から滑らないようになっている。そして鍔部１２は弱化ライン１７の両側の上面とスカート７間にそれぞれ複数のリブ２０が設けられている。
【００２０】
このリブ２０は、鍔部１２に上下方向の剛性を与えると共に、鍔部１２近傍のスカート７にも剛性を与え、鍔部１２を押し上げる際にリブ２０の上端部付近に応力が集中して同部付近から外方に曲り易く形成されている。
【００２１】
又鍔部１２には、半径方向の弱化部が形成されている。この弱化部として、例えば、図３、図４に示すように、その中央部１６に、半径方向のスリット１８が形成されている。前記スリット１８は、鍔部１２を押し上げる際に鍔部１２及びスカート７が中央部１６から曲がるのを容易にする。
【００２２】
特に、スカート７に弱化ライン１７を形成したときには、上下方向及び半径方向共に弱化させたことにより、スカート７が中央部１６から曲がるのが更に容易となり、これにより前記係止突条１０を外すことが容易となる。
なお、鍔部１２の弱化部は、スカート７の弱化ライン１７に対応させてもよい。
【００２３】
前記鍔部１２に弱化部として、前記スリット１８に替えて図７、図８に示すように薄肉部１８ａとしたり、図１６に示すように、鍔部１２中央に設けられたミシン目、即ち、半径方向に間隔をあけて設けられた切れ目１８ｃとしたりしても良い。このように薄肉部１８ａ又はミシン目１８ｃとすることによりスリットと同様に鍔部１２を中央部１６から曲がり易くすることができる。
【００２４】
しかも他の作用として弱化部が薄肉部１８ａの場合には、このキャップを不正に開放する場合に鍔部１２を押し上げると、鍔部１２の設けられているスカート７は外方に引っ張られるように変形し、それと共に鍔部１２はその薄肉部１８ａが開くように変形する。これにより張力が生じて薄肉部１８ａは破断させられる。このため薄肉部１８ａは不正開放防止に役立てることができる。
なお、ミシン目１８ｃも前記薄肉部１８ｃと同様の効果を得ることができる。
【００２５】
次に、前記リブ２０の上端部２６はキャップ２の上下方向において、弱化ライン１７の上端部２１近傍に対応して位置させられている。
このように形成したことにより鍔部１２を押し上げた際に弱化ライン１７の上端部２１近傍に応力集中が起り、同近傍から曲り易くすることができ、従って係合突条５に対する係止突条１０の外れの開始を容易にすることができる。
【００２６】
又前記スカート７は前記頂壁６よりも薄く、かつ鍔部１２より薄い薄肉部２２として形成されている。これにより鍔部１２を押し上げた際に、鍔部１２と頂壁６はスカート７より剛性が大きいために上下方向に殆ど曲らず、スカート７のみが曲ることになり、係合突条５と係止突条１０の外れるのを容易にすることができる。
【００２７】
又図５に示す更に他の実施例のようにスカート７の上部２３を、下部の薄肉部２２よりも更に薄い微肉部２４に形成したものは、鍔部１２を押し上げた際にこの微肉部２４と薄肉部２２との境界部３１から曲り易く形成でき、それにより係合突条５から係止突条１０を外れ易くすることができる。
【００２８】
又前記リブ２０の上端部２６は、スカート７の、弱化ライン１７の上端部２１近傍に位置させられている。このように形成したことにより鍔部１２を押し上げた際にスカート７は、弱化ライン１７による弱さとリブ２０の応力集中が重なって弱化ライン１７の上端部２１の部分から容易に曲げさせることができる。
従って、係合突条５に対する係止突条１０の外れを容易にすることができる。
【００２９】
又図１及び図５に見られるように、頂壁６からスカート７に連続する部分２７は肉厚の変化がなだらかに形成されている。このように形成されたことによりスカート７と頂壁６の接続する部分は、肉厚の頂壁６と薄肉部２２、又は微肉部２４と接続する部分であるにもかかわらず応力が分散して集中しない形状とすることにより、打栓の際にこの部分からいわゆるひしゃげてしまうのを防止することができる。
【００３０】
前記微肉部２４は、該微肉部２４より厚肉に形成されている内環８に対応する位置に形成されている。
このように形成されたことにより、鍔部１２を押し上げてキャップ２を開放する際、内環８は相対的に剛性が大きいから撓みがごく少く、スカート７の方が撓み易いためスカート７が曲り容易に外し取ることができる。
【００３１】
なお前記内環８は図１、図５に示すように特に半径方向外方に突出する突条８ａを有しており、これも容器１の口部３を密閉するのに役立っている。
又前記頂壁６内面及び前記頂壁６とスカート７との連続する部分２７の内面には微少突条６ａ，６ｂが設けられてあり、これら微少突条６ａ，６ｂも図示のように口部３の上面に圧接して密閉に役立っている。
【００３２】
更に、前記容器１の口部３内側には、内環８を収容する段差部２８が設けられており、このように形成されたことにより、この容器はその段差部２８に図示しない紙製の蓋を装着して通常の牛乳瓶として従来のように用いることもでき、又この発明のキャップを用いることもできる。
【００３３】
この発明のキャップの作用について述べると、このキャップは図示しない打栓機により容器１の口部３に打栓される。
消費者等の使用者は、このキャップを開放する場合は図１２〜図１４に示すように鍔部１２の下面に指３２を当てがい上方に押し上げる。
【００３４】
そうすると同図に示すようにスカート７は頂壁６より薄肉に形成されている弱化ライン１７、及びスリット１８又は薄肉部１８ａによりこの部分からほぼヘの字状に曲り、これにより弱化ライン１７近傍は容器１の口部３から半径方向外方に離れる。
【００３５】
この状態でなおも上方に押し上げると鍔部１２とスカート７の間にはリブ２０が設けられていて、かつその上端部２６は弱化ライン１７の上端部２１近傍に対応しているため、同近傍部分から曲り、なお鍔部１２の両側のスカート７にスリット１４が形成されているものはその効果も相まって、係止突条１０が係合突条５から外れ始め、次第に全係止突条１０が外される。
こうしてキャップ２１は開放される。そして使用者は容器１の図示しない内容品を注出して使用する。
【００３６】
【発明の効果】
この発明は、前記のように構成され、容器１の口部３内面に圧接する内環８を設け、又キャップ２の係止突条１０が容器１の係合突条５に係止してあるため、容器１を充分に密閉することができる。
しかも環状の係止突条の鍔部１２に対応する部分に、弱嵌合部を形成したので、このキャップ２の開放の場合は鍔部１２を上方に押し上げると容易に押し上げることができるから、その両側の係止突条１０の、容器１の係合突条５からの外れを容易に始めさせることが出来、その状態で押し上げを継続することにより、上記外れ始めを全周の外れに及ぼさせることができ、こうして容易に開放することができる。
【００３７】
スカート７は、鍔部１２の設けられているキャップの前半周７ａで、鍔部１２の両側に縦スリット１４が形成されているため、開放の際にスカート７の下方は拡張し易く、従って前記前半周７ａにおける係止突条１０の、係合突条５からの外しを容易にすることができる。
【００３８】
縦スリット１４は、下部を係止突条１０で接続されていたり、或いは、その一部又は全部を薄肉部１５で接続されているので、キャップ２の密閉性と開放の容易性を両立させることができる。
上記密閉性については、例えば容器１が牛乳瓶の場合に牛乳を充填後、通常５℃程度の低温に保たれて流通されるが何等かの理由で温度が上昇した場合、液温上昇に伴い液体体積が増加し、瓶の上部のヘッドスペース（空気の部分）が減少して圧力が上昇すると、縦スリット１４のみではキャップが浮き上ってしまう場合があるが、これを防止することができる。
【００３９】
スカート７は、鍔部１２の中央部１６に対応する部分の内面に縦方向の弱化ライン１７が形成されているので、キャップ２開放の際に鍔部１２下面を上に上げると、鍔部１２及び該鍔部１２の設けられているスカート７の部分はほぼヘの字状に曲がり、このため容器１の口部３から半径方向外方に離れるから、これにより鍔部１２の両側の係止突条１０の、係合突条５から外れるのを容易にすることができる。従って上記のように係止突条１０の外れ始めを容易にできるので全体の開放を容易にすることができる。
【００４０】
鍔部１２に半径方向の弱化部を設けたので、鍔部１２に縦方向の弱化に半径方向の弱化を加えることができ、鍔部１２を押し上げた際の鍔部１２及びスカート７の、ほぼヘの字状の変形を大きくすることができ、これにより鍔部１２両側の係止突条１０の、係合突条５からの外れの始まりを確実にすることができる。
【００４１】
又、弱化部が薄肉部１８ａである場合には、他の効果としてこのキャップを不正に開放する場合、鍔部１２を押し上げると鍔部１２の設けられているスカート７は外方に引っ張られるように変形し、それと共に鍔部１２はその薄肉部１８ａの先端が開くように変形する。
これにより張力が生じて薄肉部１８ａは破断させられる。このため薄肉部１８ａは不正開放防止に役立たせることもできる。
【００４２】
鍔部１２は、下面の先端部に沿って小突条１９が形成されているので、鍔部１２押し上げの際に、押し上げの指３２に半径方向外向きの力がかかる場合があっても、この力に対し小突条１９が反力を及ぼすから、すべての力を無駄なく押し上げに向けさせることができる。
【００４３】
鍔部１２は、上面とスカート７間にそれぞれリブ２０が設けられているので、鍔部１２の上下方向の剛性を高めることができ、鍔部１２を押し上げ易くすることができると共に、図１３に示すようにリブ２０の上端部２６近傍に曲げ応力集中を起こさせることができ、従ってリブ２０を設けた部分のスカート７の変形を容易にすることができ、これにより係止突条１０の、係合突条５からの外れの開始を容易にすることができる。
【００４４】
リブ２０の上端部２６は、上下方向において弱化ライン１７の上端部２１近傍に対応して位置させられているので、鍔部１２の押し上げの際の、リブ２０の上端部２６における応力集中によるスカート７の変形は、弱化ライン１７の上端部２１近傍に対応しているため、上記変形を一層容易にすることができ、鍔部１２両側の係止突条１０の外れの開始を一層容易にすることができる。
【００４５】
スカート７は、頂壁６よりも薄い薄肉部２２として形成され、かつ、該薄肉部２２は鍔部１２よりも薄肉に形成されているので、スカート７は前記両者６、１２より剛性が少ないため、鍔部１２の押し上げの際良好に変形し、容易にその両側の係止突条１０の外れを開始させることができる。
【００４６】
スカート７は、その上部２３を、下部の薄肉部２２よりも更に薄い微肉部２４として形成されているので、鍔部１２の押し上げの際、この部分から良好に変形し、容易に鍔部１２両側の係止突条１０の外れを開始させることができる。
【００４７】
頂壁６とスカート７の連続する部分２７は、肉厚の変化がなだらかに形成されているので、このキャップを容器に打栓する場合に厚肉の頂壁６と薄肉２２又は微肉２４のスカート７に直接連続させてあれば、その連続部分において応力集中が起こり、いわゆるひしゃげてしまうが、この発明においてその部分の厚さの変化はなだらかに形成されているため、応力は分散されて打栓の際にひしゃげてしまうのを防止することができる。
【００４８】
前記微肉部２４は、該微肉部２４より厚肉に形成された内環８に対応する位置に形成されているので、このキャップを容器から外す場合内環８は剛性が大きく、それに較べてスカート７は剛性が小さく形成されているため、鍔部１２を押し上げた際のスカート７の変形を容易に起こすことができ、それにより鍔部１２両側の係止突条１０の外れの始まりを容易にすることができる。
【００４９】
容器１の口部３内側は、該口部３内周に圧接する円環８を収容する段差部２８を有しているので、容器が牛乳瓶の場合に、段差部２８を用いて従来のように紙蓋を装着することもでき、この発明のキャップを装着することもでき、兼用することができる。
【図面の簡単な説明】
【図１】この発明の実施例を示し、容器とそのキャップの一部を省略して示した断面図である。
【図２】図１に示すキャップの部分の断面図である。
【図３】図１に示すキャップの部分の平面図である。
【図４】図１に示すキャップの部分の下面図である。
【図５】この発明の他の実施例を示し、図１に相当する図である。
【図６】図５に示すキャップの部分の断面図である。
【図７】図５に示すキャップの部分の平面図である。
【図８】図５に示すキャップの部分の下面図である。
【図９】この発明の更に他の実施例を示し、キャップ内面を示す斜視図である。
【図１０】この発明の更に他の実施例を示し、キャップの部分の斜視図である。
【図１１】この発明の更に他の実施例を示し、図１０に相当する図である。
【図１２】図９に示すキャップを開放する場合を示す説明図である。
【図１３】図１２に示す開放の場合の部分の断面図である。
【図１４】図１３に示す開放の場合の斜視図である。
【図１５】他の実施例のキャップの部分の下面図で、図４に相当する図である。
【図１６】他の実施例を示すキャップの部分の平面図で、図７に相当するものである。
【符号の説明】
１        容器
２        キャップ
３        口部
４        上端部
５        係合突条
６        頂壁
７        スカート
８        内環
９        内周下方
１０        係止突条
１１        外周下端部
１２        鍔部
１３        突条欠如部
１４        縦スリット
１５        肉薄部
１６        中央部
１７        弱化ライン
１８        スリット
１８ａ      薄肉部
１９        小突条
２０        リブ
２１        上端部
２２        薄肉部
２３        上部
２４        微肉部
２７        連続する部分
２８        段差部
【図１】
0004330234.tif 000002
【図２】
0004330234.tif 000003
【図３】
0004330234.tif 000004
【図４】
0004330234.tif 000005
【図５】
0004330234.tif 000006
【図６】
0004330234.tif 000007
【図７】
0004330234.tif 000008
【図８】
0004330234.tif 000009
【図９】
0004330234.tif 000010
【図１０】
0004330234.tif 000011
【図１１】
0004330234.tif 000012
【図１２】
0004330234.tif 000013
【図１３】
0004330234.tif 000014
【図１４】
0004330234.tif 000015
【図１５】
0004330234.tif 000016
【図１６】
0004330234.tif 000017